(57)【要約】      （修正有）【課題】シート上に原稿の画像を形成する際にメモ領域を簡単に付加することのできる画像形成装置及び画像形成方法を提供すること。【解決手段】画像形成装置１は、画像形成部１３と、サイズ取得部１６１と、条件設定部１６２とを備える。画像形成部１３は、原稿に基づいてシート上に画像を形成する。サイズ取得部１６１は、原稿のサイズ及びシートのサイズを取得する。条件設定部１６２は、予め設定された特定操作に応じて、画像形成部１３による画像形成時の印刷条件として、原稿のサイズ及びシートのサイズに応じて、シート上に原稿の画像とメモ領域とが配置される印刷条件を設定する。【選択図】図２
2018037777.tif 000002
【特許請求の範囲】
【請求項１】
原稿に基づいてシート上に画像を形成する画像形成部と、
前記原稿のサイズ及び前記シートのサイズを取得するサイズ取得部と、
予め設定された特定操作に応じて、前記画像形成部による画像形成時の印刷条件として、前記原稿のサイズ及び前記シートのサイズに応じて、前記シート上に前記原稿の画像とメモ領域とが配置される印刷条件を設定する条件設定部と、
を備える画像形成装置。
【請求項２】
前記メモ領域は、前記原稿のサイズ及び前記シートのサイズの組み合わせに対応してサイズ、形状、及び配置位置のいずれか一つ又は複数が予め設定された領域である請求項１に記載の画像形成装置。
【請求項３】
前記条件設定部は、前記シートのサイズが前記原稿のサイズと等しい場合に、前記原稿の画像を縮小した画像を前記シート上に形成する前記印刷条件を設定する請求項１又は請求項２に記載の画像形成装置。
【請求項４】
前記条件設定部は、前記シートのサイズが前記原稿のサイズと等しい場合に、前記原稿の画像を縮小し、且つ９０度回転させた画像を前記シート上に形成する前記印刷条件を設定する請求項１〜３のいずれかに記載の画像形成装置。
【請求項５】
前記条件設定部は、前記シートのサイズが前記原稿のサイズよりも大きい場合に、前記原稿の画像を等倍で前記シート上に形成する前記印刷条件を設定する請求項１〜４のいずれかに記載の画像形成装置。
【請求項６】
前記画像形成部によって前記シート上に前記原稿の画像が形成される前に、前記条件設定部によって設定される前記印刷条件に基づいてプレビュー画像を表示するプレビュー表示部を更に備える請求項１〜５のいずれかに記載の画像形成装置。
【請求項７】
前記メモ領域に表示すべきメモ領域画像を記憶する記憶部を更に備え、
前記条件設定部は、前記シート上に配置される前記メモ領域に前記メモ領域画像を形成する前記印刷条件を設定する請求項１〜６のいずれかに記載の画像形成装置。
【請求項８】
トナー残量又はインク残量を検出する残量検出部と、
前記残量検出部による検出結果に応じて、前記特定操作のための指示ボタンの表示態様を変化させる表示制御部と、
を更に備える請求項１〜７のいずれかに記載の画像形成装置。
【請求項９】
原稿に基づいてシート上に画像を形成する画像形成ステップと、
前記原稿のサイズ及び前記シートのサイズを取得するサイズ取得ステップと、
予め設定された特定操作に応じて、前記画像形成ステップにおける画像形成時の印刷条件として、前記原稿のサイズ及び前記シートのサイズに応じて、前記シート上に前記原稿の画像とメモ領域とが配置される印刷条件を設定する条件設定ステップと、
を備える画像形成方法。
【発明の詳細な説明】
【技術分野】
【０００１】
本発明は、シート上に原稿の画像を形成する画像形成装置及び画像形成方法に関する。
【背景技術】
【０００２】
画像形成装置を用いて原稿を複写した後に、複写された用紙に対してユーザーが手書きのメモを記入したい場合がある。
【０００３】
例えば、記録紙の寸法が原稿よりも大きい場合に、原稿の画像が印字された記録紙の余白部分に、予め設定した間隔のメモ書用罫線を自動印字できるようにしたファクシミリ装置が知られている（例えば、特許文献１参照）。
【先行技術文献】
【特許文献】
【０００４】
【特許文献１】特開平４−２１５３７５号公報
【発明の概要】
【発明が解決しようとする課題】
【０００５】
しかしながら、上記のファクシミリ装置では、記録紙の寸法が原稿よりも大きい場合には、記録紙の余白部分にメモ書用罫線が印字されるが、記録紙の寸法が原稿と同じ場合には、記録紙の余白部分が存在しないため、メモ書用罫線は印字されない。
【０００６】
メモを記入するための十分な空き領域を確保するためには、ユーザーは、十分な空き領域が確保されるような印刷条件を自分で考えて設定する必要がある。しかしながら、十分な空き領域が確保されるような印刷条件は、原稿のサイズとシートのサイズの組み合わせによって変わるため、印刷条件の設定に手間がかかる。
【０００７】
本発明の目的は、シート上に原稿の画像を形成する際にメモ領域を簡単に付加することのできる画像形成装置及び画像形成方法を提供することにある。
【課題を解決するための手段】
【０００８】
本発明の一の局面に係る画像形成装置は、画像形成部と、サイズ取得部と、条件設定部と、を備える。前記画像形成部は、原稿に基づいてシート上に画像を形成する。前記サイズ取得部は、前記原稿のサイズ及び前記シートのサイズを取得する。前記条件設定部は、予め設定された特定操作に応じて、前記画像形成部による画像形成時の印刷条件として、前記原稿のサイズ及び前記シートのサイズに応じて、前記シート上に前記原稿の画像とメモ領域とが配置される印刷条件を設定する。
【０００９】
本発明の他の局面に係る画像形成方法は、画像形成ステップと、サイズ取得ステップと、条件設定ステップと、を備える。前記画像形成ステップでは、原稿に基づいてシート上に画像が形成される。前記サイズ取得ステップでは、前記原稿のサイズ及び前記シートのサイズが取得される。前記条件設定ステップでは、予め設定された特定操作に応じて、前記画像形成ステップにおける画像形成時の印刷条件として、前記原稿のサイズ及び前記シートのサイズに応じて、前記シート上に前記原稿の画像とメモ領域とが配置される印刷条件が設定される。
【発明の効果】
【００１０】
本発明によれば、シート上に原稿の画像を形成する際にメモ領域を簡単に付加することのできる画像形成装置及び画像形成方法が提供される。
【図面の簡単な説明】
【００１１】
【図１】図１は、本発明の実施形態に係る画像形成装置の外観を示す図である。
【図２】図２は、本発明の実施形態に係る画像形成装置のシステム構成を示すブロック図である。
【図３】図３は、本発明の実施形態に係る画像形成装置で用いられるコピー指示入力画面の一例を示す図である。
【図４】図４は、本発明の実施形態に係る画像形成装置で用いられるサイズ確認画面の一例を示す図である。
【図５】図５は、本発明の実施形態に係る画像形成装置で用いられるプレビュー画面の一例を示す図である。
【図６】図６は、本発明の実施形態に係る画像形成装置で用いられるメモ領域付きコピー用の印刷条件情報の一例を示す図である。
【図７】図７は、本発明の実施形態に係る画像形成装置においてシートのサイズが原稿のサイズと同じ場合の印刷結果の一例を示す図である。
【図８】図８は、本発明の実施形態に係る画像形成装置においてシートのサイズが原稿のサイズよりも大きい場合の印刷結果の一例を示す図である。
【図９】図９は、本発明の実施形態に係る画像形成装置で用いられる配置変更画面の一例を示す図である。
【図１０】図１０は、本発明の実施形態に係る画像形成装置で用いられるメモ領域画像変更画面の一例を示す図である。
【図１１】図１１は、本発明の実施形態に係る画像形成装置で実行されるメモ領域付きコピー処理の手順の一例を示すフローチャートである。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
図１及び図２に示されるように、本発明の実施形態に係る画像形成装置１は、操作表示部１０、ＡＤＦ１１、画像読取部１２、画像形成部１３、通信Ｉ／Ｆ１４、記憶部１５、及び制御部１６などを備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のように、シート上に原稿の画像を形成することが可能な任意の画像形成装置に適用可能である。
【００１４】
操作表示部１０は、情報を表示する液晶ディスプレーなどの表示部と、ユーザー操作を受け付けるタッチパネル及び操作ボタンなどの操作部とを備える。前記タッチパネルは、前記表示部の表示面上に設けられている。
【００１５】
ＡＤＦ１１は、原稿セット部、搬送ローラー、原稿押さえ、及び排紙部を備え、画像読取部１２の読み取り対象となる原稿を搬送する自動原稿搬送装置である。
【００１６】
画像読取部１２は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１７】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。画像形成部１３は、操作表示部１０に対するユーザー操作に基づいてシート上に画像を形成する。
【００１８】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１９】
記憶部１５は、ハードディスク又はＥＥＰＲＯＭ（登録商標）などの不揮発性の記憶部である。記憶部１５には、制御部１６によって実行される後述するメモ領域付きコピー処理などを実行するための各種の制御プログラム、及び後述するメモ領域画像などが記憶される。
【００２０】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
具体的に、制御部１６は、サイズ取得部１６１、条件設定部１６２、プレビュー表示部１６３、残量検出部１６４、及び表示制御部１６５を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２２】
サイズ取得部１６１は、原稿のサイズ及びシートのサイズを取得する。サイズ取得部１６１は、例えば、操作表示部１０を通じて入力されるユーザー入力に基づいて原稿のサイズ及びシートのサイズを取得する。もしくは、サイズ取得部１６１は、画像形成装置１に設けられたサイズ検出用のセンサーからの信号に基づいて原稿のサイズ又はシートのサイズを検出してもよい。さらには、サイズ取得部１６１は、画像読取部１２によって読み取られた原稿の画像（以下、原稿画像と称す）に基づいて原稿のサイズを取得してもよい。
【００２３】
条件設定部１６２は、メモ領域付きコピー指示の入力（本発明における「予め設定された特定操作」の一例）に応じて、画像形成部１３による画像形成時の印刷条件として、原稿のサイズ及びシートのサイズに応じて、シート上に原稿の画像とメモ領域とが配置される印刷条件を設定する。前記メモ領域付きコピー指示は、画像形成装置１にメモ領域付きコピー処理を実行させるための指示であって、操作表示部１０を通じてユーザーによって入力される。前記メモ領域付きコピー処理とは、シート上に原稿の画像をコピーする際に、メモ領域を自動的に付加してコピーする処理である。
【００２４】
前記メモ領域は、ユーザーがメモを記入するための領域であって、原稿のサイズ及びシートのサイズの組み合わせに対応してサイズ、形状、及び配置位置のいずれか一つ又は複数が予め設定された領域である（図７参照）。
【００２５】
より具体的には、条件設定部１６２は、シートのサイズが原稿のサイズと等しい場合に、前記原稿画像を縮小した画像をシート上に形成する前記印刷条件を設定する。この結果、シートにおいて、前記原稿画像の外側には、前記メモ領域を配置するためのスペースが確保される。なお、条件設定部１６２は、シートのサイズが原稿のサイズと等しい場合に、前記原稿画像を縮小し、且つ９０度回転させた画像をシート上に形成する前記印刷条件を設定してもよい（図７参照）。
【００２６】
また、条件設定部１６２は、シートのサイズが原稿のサイズよりも大きい場合に、前記原稿画像を等倍でシート上に形成する前記印刷条件を設定する（図８参照）。この結果、シートにおいて、前記原稿画像の外側には、前記メモ領域を配置するためのスペースが確保される。
【００２７】
条件設定部１６２は、シート上に配置される前記メモ領域に、記憶部１５等に予め記憶されているメモ領域画像を形成する前記印刷条件を設定してもよい。前記メモ領域画像は、例えば、罫線を含む画像である。なお、前記メモ領域が、空白の領域として出力されてもよい。
【００２８】
ところで、記録紙の寸法が原稿よりも大きい場合に、原稿の画像が印字された記録紙の余白部分に、予め設定した間隔のメモ書用罫線を自動印字できるようにしたファクシミリ装置が知られている。しかしながら、そのようなファクシミリ装置では、記録紙の寸法が原稿よりも大きい場合には、記録紙の余白部分にメモ書用罫線が印字されるが、記録紙の寸法が原稿と同じ場合には、記録紙の余白部分が存在しないため、メモ書用罫線は印字されない。
【００２９】
また、メモを記入するための十分な空き領域を確保するためには、ユーザーは、十分な空き領域が確保されるような印刷条件を自分で考えて設定する必要がある。しかしながら、十分な空き領域が確保されるような印刷条件は、原稿のサイズとシートのサイズの組み合わせによって変わるため、印刷条件の設定に手間がかかる。
【００３０】
これに対して、本実施形態に係る画像形成装置１では、条件設定部１６２によって、メモ領域付きコピー指示の入力に応じて、画像形成部１３による画像形成時の印刷条件として、原稿のサイズ及びシートのサイズに応じて、シート上に原稿の画像とメモ領域とが配置される印刷条件が設定される。よって、本実施形態に係る画像形成装置１によれば、シート上に原稿の画像を形成する際にメモ領域を簡単に付加することができる。
【００３１】
プレビュー表示部１６３は、画像形成部１３によってシート上に前記原稿画像が形成される前に、条件設定部１６２によって設定される前記印刷条件に基づいてプレビュー画像３０（図５参照）を表示する。プレビュー画像３０は、画像形成部１３による画像形成処理が実際に行われる前に、出力結果を事前にユーザーに確認させるための画像である。
【００３２】
残量検出部１６４は、例えば、画像形成装置１に設けられた残量センサーからの信号に基づいて、トナー残量又はインク残量を検出する。なお、残量検出部１６４による検出方法としては、公知の任意の検出方法を採用することができる。
【００３３】
表示制御部１６５は、残量検出部１６４による検出結果に応じて、前記メモ領域付きコピー指示を入力するための指示ボタン（例えば、図３におけるボタンＢ２）の表示態様を変化させる。より具体的には、表示制御部１６５は、残量検出部１６４によって検出されるトナー残量又はインク残量が所定量よりも少ない場合に、前記指示ボタンを強調表示する。これにより、ユーザーによって通常コピーよりもメモ領域付きコピーが選択される可能性が高まることが期待できる。前述したように、メモ領域付きコピーでは、シートのサイズが原稿のサイズと等しい場合に、条件設定部１６２によって、前記原稿画像を縮小した画像をシート上に形成する前記印刷条件を設定される。よって、等倍でコピーする場合と比べてトナー又はインクの消費量が減り、トナーコンテナ又はインクカートリッジを交換するまでの印刷可能枚数が増えることが期待できる。
【００３４】
次に、図３〜図１０を参照しつつ、画像形成装置１の動作について説明する。
【００３５】
図３は、操作表示部１０に表示されるコピー指示入力画面２０を示している。コピー指示入力画面２０は、ユーザーからのコピー指示を受け付けるための画面である。コピー指示入力画面２０には、通常のコピーの実行を指示するためのボタンＢ１と、前記メモ領域付きコピーの実行を指示するためのボタンＢ２とが含まれている。
【００３６】
コピー指示入力画面２０において、ユーザーによってボタンＢ２がタッチされると、続いて、図４に示すサイズ確認画面２１が操作表示部１０に表示される。サイズ確認画面２１には、前記メモ領域付きコピーで用いられる原稿及びシートのそれぞれのサイズが表示される。これらの原稿及びシートのサイズは、サイズ確認画面２１に含まれているボタンＢ３又はボタンＢ４へのタッチに応じて変更される。
【００３７】
サイズ確認画面２１において、ユーザーによってボタンＢ５がタッチされると、続いて、図５に示すプレビュー画面２２が操作表示部１０に表示される。プレビュー画面２２には、条件設定部１６２によって設定される前記印刷条件に基づいて生成されるプレビュー画像３０が表示される。ユーザーは、プレビュー画像３０を確認することによって、原稿画像及びメモ領域のサイズ、形状及び配置位置を確認することができる。
【００３８】
条件設定部１６２は、例えば、図６に示すようなメモ領域付きコピー用の印刷条件情報に基づいて、前記印刷条件を設定する。前記印刷条件情報には、例えば、原稿のサイズとシートのサイズの組み合わせ毎に、印刷後のシートに前記原稿画像と前記メモ領域とが配置されるように予め設定された印刷条件が登録されている。例えば、前記印刷条件情報には、原稿のサイズとシートのサイズの組み合わせ毎の印刷条件として、前記原稿画像の倍率、シートに対する前記原稿画像の向き、シートにおける前記原稿画像の位置、前記メモ領域の大きさ、シートに対する前記メモ領域の向き、シートにおける前記メモ領域の位置などが登録されている。例えば、シートのサイズが原稿のサイズと等しい場合の前記印刷条件（例えば、図６における印刷条件Ａ及び印刷条件Ｃ）では、前記原稿画像の倍率が１００％未満（例えば、７１％）に設定され、前記原稿画像の向きがシートに対して９０度回転した向きに設定されている。また、シートのサイズが原稿のサイズよりも大きい場合の前記印刷条件（例えば、図６における印刷条件Ｂ及び印刷条件Ｃ）では、前記原稿画像の倍率が１００％（等倍）に設定され、前記原稿画像の向きがシートと同じ向きに設定されている。なお、前記印刷条件情報に登録される印刷条件は、上記の例に限らず、例えば、原稿のサイズとシートのサイズとの比率に応じて前記原稿画像の倍率が異なる値に設定されてもよい。前記印刷条件情報は、例えば、記憶部１５に予め記憶されている。
【００３９】
プレビュー画面２２において、ユーザーによってボタンＢ９がタッチされると、画像形成部１３による画像形成処理が開始されて、プレビュー画像３０と同様の画像がシート上に実際に形成されて、出力される。一方、プレビュー画面２２において、ユーザーによってボタンＢ８がタッチされると、前記メモ領域付きコピーはキャンセルされる。
【００４０】
なお、プレビュー画面２２において、ユーザーによってボタンＢ６がタッチされると、図９に示す配置変更画面２３が操作表示部１０に表示される。配置変更画面２３には、例えば、図９に示すように、シートにおける前記原稿画像及び前記メモ領域の配置位置が異なる複数の候補画像が表示される。これらの候補画像のいずれかがユーザーによってタッチされると、タッチされた候補画像に応じて更新されたプレビュー画像３０を含むプレビュー画面２２が表示される。
【００４１】
また、プレビュー画面２２において、ユーザーによってボタンＢ７がタッチされると、図１０に示すメモ領域画像変更画面２４が操作表示部１０に表示される。メモ領域画像変更画面２４には、例えば、図１０に示すように、メモ領域に形成すべきメモ領域画像の候補画像が複数表示される。これらの候補画像のいずれかがユーザーによってタッチされると、タッチされた候補画像に応じて更新されたプレビュー画像３０を含むプレビュー画面２２が表示される。
【００４２】
次に、図１１を参照しつつ、制御部１６によって実行されるメモ領域付きコピー処理の手順の一例について説明する。ここで、ステップＳ１、Ｓ２・・・は、制御部１６により実行される処理手順（ステップ）の番号を表している。なお、前記メモ領域付きコピー処理は、例えば、図３に示すボタンＢ２がユーザーによってタッチされたことに応じて開始される。
【００４３】
＜ステップＳ１＞
まず、ステップＳ１において、制御部１６は、原稿のサイズ及びシートのサイズを取得する。例えば、制御部１６は、図４に示すサイズ確認画面２１に対するユーザー入力に基づいて、原稿のサイズとシートのサイズを取得する。
【００４４】
なお、制御部１６は、原稿のサイズ及びシートのサイズをステップＳ２による原稿の画像の読み取り結果に基づいて取得してもよい。この場合、ステップＳ１は、ステップＳ２の後段で実行される。例えば、自動サイズ判定モードでは、ステップＳ２で読み取られる原稿の画像データに基づいて原稿のサイズが判断され、その原稿のサイズに対応するシートのサイズが選択される。
【００４５】
＜ステップＳ２＞
ステップＳ２において、制御部１６は、画像読取部１２を制御して、ＡＤＦ１１によって搬送される原稿、又は前記原稿台の上に載置された原稿の画像を読み取る。
【００４６】
＜ステップＳ３＞
ステップＳ３において、制御部１６は、例えば図６に示すような、メモ領域付きコピー用の印刷条件情報（図６）と、ステップＳ１で取得された原稿のサイズ及びシートのサイズの組み合わせとに応じて印刷条件を設定する。これにより、前記印刷条件として、印刷後のシートに前記原稿画像と前記メモ領域とが配置される印刷条件が設定されることになる。
【００４７】
＜ステップＳ４＞
ステップＳ４において、制御部１６は、ステップＳ３で設定された印刷条件に基づいてプレビュー画像３０を生成し、操作表示部１０に表示する（図５）。
【００４８】
＜ステップＳ５＞
ステップＳ５において、制御部１６は、操作表示部１０を通じてユーザーから配置変更指示が入力されたか否かを判断する。例えば、制御部１６は、図５に示すボタンＢ６がタッチされたときに、前記配置変更指示が入力されたと判断する。そして、前記配置変更指示が入力されたと判断されると（Ｓ５：Ｙｅｓ）、処理がステップＳ６に移行する。一方、前記配置変更指示が入力されていないと判断されると（Ｓ５：Ｎｏ）、処理がステップＳ８に移行する。
【００４９】
＜ステップＳ６＞
ステップＳ６において、制御部１６は、操作表示部１０を通じて入力されるユーザーの指示に基づいて、前記原稿画像及び前記メモ領域の配置位置を変更する。例えば、制御部１６は、図９に示す配置変更画面におけるユーザーの選択結果に応じて、前記原稿画像及び前記メモ領域の配置位置を変更する。
【００５０】
＜ステップＳ７＞
ステップＳ７において、制御部１６は、ステップＳ６で変更された後の前記原稿画像及び前記メモ領域の配置位置に基づいて、操作表示部１０に表示されるプレビュー画像３０を更新する。
【００５１】
＜ステップＳ８＞
ステップＳ８において、制御部１６は、操作表示部１０を通じてユーザーからメモ領域画像変更指示が入力されたか否かを判断する。例えば、制御部１６は、図５に示すボタンＢ７がタッチされたときに、前記メモ領域画像変更指示が入力されたと判断する。そして、前記メモ領域画像変更指示が入力されたと判断されると（Ｓ８：Ｙｅｓ）、処理がステップＳ９に移行する。一方、前記メモ領域画像変更指示が入力されていないと判断されると（Ｓ８：Ｎｏ）、処理がステップＳ１１に移行する。
【００５２】
＜ステップＳ９＞
ステップＳ９において、制御部１６は、操作表示部１０を通じて入力されるユーザーの指示に基づいて、前記メモ領域画像を変更する。例えば、制御部１６は、図１０に示すメモ領域画像変更画面におけるユーザーの選択結果に応じて、前記メモ領域画像を変更する。
【００５３】
＜ステップＳ１０＞
ステップＳ１０において、制御部１６は、ステップＳ９で変更された後の前記メモ領域画像に基づいて、操作表示部１０に表示されるプレビュー画像３０を更新する。
【００５４】
＜ステップＳ１１＞
ステップＳ１１において、制御部１６は、操作表示部１０を通じてユーザーから印刷開始指示が入力されたか否かを判断する。例えば、制御部１６は、図５に示すボタンＢ９がタッチされたときに、前記印刷開始指示が入力されたと判断する。そして、前記印刷開始指示が入力されたと判断されると（Ｓ１１：Ｙｅｓ）、処理がステップＳ１２に移行する。一方、前記印刷開始指示が入力されていないと判断されると（Ｓ１１：Ｎｏ）、処理がステップＳ１に戻る。
【００５５】
＜ステップＳ１２＞
ステップＳ１２において、制御部１６は、ステップＳ３、Ｓ６、Ｓ９で設定された印刷条件に基づいて、画像形成部１３を制御して、印刷処理を実行する（画像形成ステップ）。この結果、プレビュー画像３０と同様の画像が形成されたシートが画像形成装置１から出力される。そして、前記メモ領域付きコピー処理が終了する。
【００５６】
なお、上記ステップＳ１の処理（サイズ取得ステップ）は、制御部１６のサイズ取得部１６１によって実行される。ステップＳ３の処理（条件設定ステップ）は、制御部１６の条件設定部１６２によって実行される。ステップＳ４、Ｓ７、Ｓ１０の処理（プレビュー表示ステップ）は、制御部１６のプレビュー表示部１６３によって実行される。
【００５７】
以上のように、本実施形態によれば、シート上に原稿の画像を形成する際にメモ領域を簡単に付加することができる。
【００５８】
なお、上記実施形態では、前記メモ領域付きコピー処理が、画像形成装置１の制御部１６によって実行されるが、本発明はこれに限定されない。他の実施形態では、前記メモ領域付きコピー処理の一部又は全部が、画像形成装置１と通信可能なノートパソコンのような印刷ホスト装置において実行されてもよい。例えば、前記メモ領域付きコピー処理の一部又は全部の機能が、前記印刷ホスト装置のプリンタードライバーに組み込まれていてもよい。
【００５９】
また、上記実施形態では、画像形成装置１の画像読取部１２によって読み取られた原稿の画像をシート上に印刷するときに前記メモ領域が付加されるが、本発明はこれに限定されない。他の実施形態では、例えば、画像形成装置１に着脱自在な記憶装置から読み取られる画像データ、前記印刷ホスト装置から受信される画像データ、ファクシミリ装置からファクシミリ受信される画像データのように、任意の画像データに基づく画像をシート上に印刷するときに、前記メモ領域が付加されてもよい。
【００６０】
また、上記実施形態では、印刷処理が開始される前にプレビュー画像３０が表示されるが、本発明はこれに限定されない。他の実施形態では、プレビュー画像３０が表示されることなく印刷処理が開始されてもよい。
【符号の説明】
【００６１】
１  画像形成装置
１０  操作表示部
１１  ＡＤＦ
１２  画像読取部
１３  画像形成部
２０  コピー指示入力画面
２１  サイズ確認画面
２２  プレビュー画面
２３  配置変更画面
２４  メモ領域画像変更画面
３０  プレビュー画像
【図１】
2018037777.tif 000003
【図２】
2018037777.tif 000004
【図３】
2018037777.tif 000005
【図４】
2018037777.tif 000006
【図５】
2018037777.tif 000007
【図６】
2018037777.tif 000008
【図７】
2018037777.tif 000009
【図８】
2018037777.tif 000010
【図９】
2018037777.tif 000011
【図１０】
2018037777.tif 000012
【図１１】
2018037777.tif 000013